(57)【要約】【課題】雨水等の貯水用空間を構築するための新規の貯水空間構築用ユニット部の提供を図る。【解決手段】互いに隣接する単位ブロック相互の連結を司るための梁材を、矩形状平板部の周縁寄りに井桁状に挟み込むための梁材挿通用凹溝を、矩形状平板部の合致面の両方に形成し、上下に位置する各単位ブロック間の四隅寄りに立設させる補強用柱の端面が、上記井桁状に組んだ梁材の連結のための組み部分に圧接してこれの固定化を図るように構成する。【選択図】  図１
2017031664.tif 000002
【特許請求の範囲】
【請求項１】
基端側を開口面としかつその全体形状を平面十文字状とする筒状を呈し、また、その十文字状突出端面部は、矩形状平板部の四辺と夫々並行する面部とするように形成して成る支持用突状部を、矩形状平板部に対して開口面側で連なるように形成した構築用ブロックを用い、
当該ブロックは、その互いの支持用突状部を突き合せた状態のものを１単位の単位ブロックとし、これを所要単位、矩形状平板部において前後、左右並びに上下方向に連結させるように構成し、
当該互いに隣接する単位ブロック相互の連結を司るための梁材を、矩形状平板部の周縁寄りに井桁状に挟み込むための梁材挿通用凹溝を、矩形状平板部の合致面の両方に形成し、
上下に位置する各単位ブロック間の四隅寄りに立設させる補強用柱の端面が、上記井桁状に組んだ梁材の連結のための組み部分に圧接してこれの固定化を図るように構成した貯水空間構築用ユニット部材。
【発明の詳細な説明】
【技術分野】
【０００１】
本発明は、雨水等の貯水用空間を構築するためユニット部材に関する。
【背景技術】
【０００２】
雨水等の一時的または恒久的貯留を目的とする、貯水空間構築用ブロックとしては、各種のものが存在する。そして、一例を示せば、平板部に対して円錐台状の筒状部分を、突出させた形態を有するものがある(例えば特許文献１参照。)。そしてこれらは、その筒状部分を互いに対向させた状態のものを一単位とし、これを複数単位、前後・左右・上下の各方向に連ならせることにより、所要の貯水空間を構築するものである。
【先行技術文献】
【特許文献】
【０００３】
【特許文献１】特許第５４４０８２４号公報
【発明の概要】
【発明が解決しようとする課題】
【０００４】
上記したような、従来の構築用ブロックで形成した貯水空間の場合、平面円形を呈する筒状部分が、支持用柱としての役割を果たす。従って、その柱面は円滑にしてかつ流動性を具えた水の抵抗を受けにくいもの、すなわち、流動性に富んだ面として存在する。
【０００５】
一方、このような貯水空間に貯水用雨水等を流し込むにあたり、その流入水量が多い場合は、大量水の流入力に基づき、内部に強い不規則な流れ、或は、渦流等を生じさせてしまう。そして、このような流れの発生は、壁部内面に対する強い衝撃を与えたり、或は、筒状部分で構成される柱部分に倒壊的歪みを与えたり、等の破壊的力として作用してしまう。特に、空間内が水で満ちてくる過程においてこのような現象が顕著に現れる。
【０００６】
更にこのような構築用ブロックは、その筒状部分を互いに対向させた状態の一単位のブロックを、夫々積極的な接合形態を採っていないため、地震等の発生に基づき崩壊し易いと言うような問題が伴った。
【０００７】
本発明は、このような問題を解決した、新規の貯水空間構築用ブロックの提供を図ったものである。
【課題を解決するための手段】
【０００８】
本発明は請求項１に記載のように、基端側を開口面としかつその全体形状を平面十文字状とする筒状を呈し、また、その十文字状突出端面部は、矩形状平板部の四辺と夫々並行する面部とするように形成して成る支持用突状部を、矩形状平板部に対して開口面側で連なるように形成した構築用ブロックを用い、
当該ブロックは、その互いの支持用突状部を突き合せた状態のものを１単位の単位ブロックとし、これを所要単位、矩形状平板部において前後、左右並びに上下方向に連結させるように構成し、
当該互いに隣接する単位ブロック相互の連結を司るための梁材を、矩形状平板部の周縁寄りに井桁状に挟み込むための梁材挿通用凹溝を、矩形状平板部の合致面の両方に形成し、
上下に位置する各単位ブロック間の四隅寄りに立設させる補強用柱の端面が、上記井桁状に組んだ梁材の連結のための組み部分に圧接してこれの固定化を図るように構成した貯水空間構築用ユニット部材に係る。
【発明の効果】
【０００９】
本発明は請求項１に記載のような構成の採用に基づき、貯水用空間の形成用ブロックとしての利用が図られる。そして、支持用突状部の形態を、平面十字状を呈するものとするように構成したから、図５に矢印で示すような、あらゆる方向からの水の流れを、当該支持用突状部２が受け止め可能とする。従って、雨水等の導水時の大量水の流入力に基づき、貯水空間の内部に発生する強い不規則な流れ、或は、渦流等は、各支持用突状部２による受け止め力（抑止的静止力）に基づき、これを著しく緩和させる。
【００１０】
更に、本発明は、支持用突状部の十字状突出端面である四つの端面部を、矩形状平板部の四辺と夫々並行する面部とするように構成したから、不使用時の保管、或は輸送時等においては、多数個を互いに積重ねて行う際、互いの支持用突状部２を単純に積重ねることにより、矩形状平板部１部分も、必然的に四隅が揃えられた状態となる。
【００１１】
従って、既存のブロックのように、平板部に円錐台状の筒状部分を一体化したものにおいては、当該筒状部の積重ねの指向性のなさから、平板部の合致化に神経を払わなければ、積み重ね後に平板部の不揃い性が生じてしまうると言う問題が生じたが、本発明にあってはこのような問題は全く一掃される。すなわち、十文字状支持用突出部を単純に積重ねるだけで、その全体的積重ね状態の整然化が必然的に図られる。
【００１２】
更に本発明は、互いに隣接する単位ブロック相互の連結を司るための梁材を、矩形状平板部の周縁寄りに井桁状に挟み込むための梁材挿通用凹溝を、矩形状平板部の合致面の両方に形成し、上下に位置する各単位ブロック間の四隅寄りに立設させる補強用柱の端面が、上記井桁状に組んだ梁材の連結のための組み部分に圧接してこれの固定化を図るように構成したから、組まれた梁材に対する固定目的が極めて合理的なる形態で図られる。
【００１３】
更に、各単位ブロックの上下方向の強度は、柱部材に依る支持状態に保たれるため、地震等の発生に基づく横揺れ及び縦揺れに対する極めて強固な堅牢性を発揮させることができる。更に、使用する柱部材は使用上の全長に対して分割された短いものであり、その各端部の直接的接触を防いだ状態で連ならせてあるため、例えば目的とする構築体の全長に亘って一本の柱部材を一括して貫通させるものにおいて想定される、地震の発生、並びに地中にクレープが発生した場合等に生じる、柱部材の座屈及び破損と言うような事柄を未然に防止する。同時に、このように一本の柱部材を用いた場合に比して、単位ブロック相互の上下方向の連結毎に短い柱部材の使用に基づくものであるため、その作業及び取扱いの容易性が図られる。
【図面の簡単な説明】
【００１４】
【図１】本発明の説明用斜視図である。
【図２】同上２段に組んだ状態を表した正面図である。
【図３】同上前後左右に組んだ状態を表した平面図である。
【図４】図２におけるＸ部分の拡大断面図である。
【図５】同上部分の他の実施例を表した拡大断面図である。
【図６】本発明の流動性に関する作用を表した説明用平面図である。
【発明を実施するための形態】
【００１５】
図において、1は正方形等の矩形状を呈する矩形状平板部であって、図示の実施例に示すように、その全体を碁盤の目状を呈するリブを形成して、補強性と軽量性が奏されように構成することが好ましい。
【００１６】
２は支持用突状部であって、上記矩形状平板部１に対して、当該平板部側に開口面を連ねかつ上面を閉鎖端とするように形成してある。そして、当該支持用突状部２の形態を、平面十字状を呈するものとすると共に、その全体を先細り状テーパー面とするように形成してある。なお、上面を閉鎖端とすることは必須要件ではなく、実施形態に依ってはこれを解放端とする場合もある。
【００１７】
上記した支持用突状部２の十字状突出端面２ａであるが、その四つの各面部は、矩形状平板部の四辺と夫々並行する面部とするように形成してある。
【００１８】
３は連結用ボスであって、支持用突状部２の閉鎖端側外面に突設してある。４は当該ボス３に係合可能とする係合孔であって、図４に示すように２個の本発明に係るブロックを突合せて一単位としての組立て時に、その両者の連結を図るためのものである。なお、これらの構成を採用することなく、単に突合せだけで実施、或は他の手段に基づき結合を図るようにして実施する場合もある。
【００１９】
更に、本発明に係るブロックの前後左右方向の連結であるが、そのために、平板部１の各側縁寄りに井桁状に支持用梁材Ｍを通すための凹部１ａを形成してある。そして、当該支持用梁材Ｍとしては、図３に示すように、井桁状の交差部に該当する部分で、四方向からのものが互いに合致化するような山形状端縁としてあり、その合致部分を後述する柱体の突合せに基づき固定化するように構成してある。
【００２０】
６は柱体であって、上下に位置する各単位ブロック間の四隅寄りに介在させることによって、その補強性の向上化を図ったものである。そして、各単位間の夫々の柱体６の位置関係が、同一軸線状を呈するように構成し、これに依り、構築された貯水空間は上から下まで一本の柱で支持されたかのような外観を呈するように構成してある。
【００２１】
なお、本発明において重要とするところは、当該柱体６の立設圧力により、前記した井桁状に組まれる支持用梁材Ｍに対する安定化を図ることにある。そのため、柱体６を、その上下両端が、支持用梁材Ｍにおける井桁状の交差部に該当する部分に当てた状態となるようにして立設するように構成してある。これに依り、支持用梁材Ｍの安定化が図られる。なお、当該柱部分に、図３に示すように梁材の突合せ的接合部が位置させるようにしたのは一つの実施例に過ぎず、これに固定化されるものではない。
【００２２】
７は矩形状平板部１の隅角部寄りに開設した柱体立設用開口部であって、図４に示すように柱体の端部を受け入、当該柱体の圧力に基づき支持用梁材Ｍのその交差部分での固定化を図るように構成してある。なお、当該柱体立設用開口部５として、図５に示すような薄板状の底板７ａを具えたものとし、当該底板５ａを逸らせることにより、柱体の圧力を支持用梁材Ｍに伝えるように構成しても良い。
【００２３】
なお、上記した梁材を通すための凹部を、支持用突状部２にも設け、この部分にも支持用梁材をとおすように構成して実施する場合もある。
【００２４】
図６は本発明のもう一つの目的とする、導入水に対する流動性静止作用を表したものである。すなわち、支持用突状部２の形態を、平面十字状を呈するものとするように構成することにより、図面に矢印で示すようなあらゆる方向からの水の流れを、当該支持用突状部２が受け止め可能とする。従って、雨水等の導水時の大量水の流入力に基づき、貯水空間の内部に発生する強い不規則な流れ、或は、渦流等は、当該支持用突状部２による受け止め力（抑止的静止力）に基づき、これを著しく緩和させる。このような緩和は、空間内が水で満ちてくる過程において生ずる強い流動性抑止用として、特に必要とする緩和作用とされる。何故ならば、貯水空間が満ちた場合は、このような水流が生じないためである。
【００２５】
本発明に係るブロックは、不使用時の保管、或は輸送時等においては、多数個を互いに積重ねて行う。この時、互いの支持用突状部２が積重ねることが出来れば、矩形状平板部１部分も、必然的に、角が揃えられた状態となる。これにより、積み重ね後における、平板部の不揃い性の防止作用が奏される。また、梁材の取り付けは各単位ブロックの形成ごとに取付けるものである。
【符号の説明】
【００２６】
１    矩形状平板部
１ａ  凹部
２    支持用突状部
３    連結用ボス
４    係合孔
Ｍ    梁材
６    柱体
７    柱体立設用開口部
７ａ  薄板状の底板
【図１】
2017031664.tif 000003
【図２】
2017031664.tif 000004
【図３】
2017031664.tif 000005
【図４】
2017031664.tif 000006
【図５】
2017031664.tif 000007
【図６】
2017031664.tif 000008